(57)【要約】【課題】商品の移動に即して多様性に富んだ映像コンテンツを出力させる。【解決手段】複数の商品に対し、個々の商品の移動を検出する加速度センサとその検出結果を送信する送信部とを備えた通信タグＲＴと、映像コンテンツを出力する投影部とサイネージボード１０Ａ、複数の商品に対する映像コンテンツを記憶したコンテンツ記憶部(11)、通信タグＲＴからの検出結果を受信する通信部１０Ｂ、及び受信した検出結果に基づいてコンテンツ記憶部(11)から対応する映像コンテンツを読出し、上記サイネージボード１０Ａに出力させるＣＰＵ(17)を備えたデジタルサイネージ１０とを具備する。【選択図】図１
2015118265.tif 000002
【特許請求の範囲】
【請求項１】
複数の商品に対し、個々の商品の移動を検出する検出手段、
上記検出手段での検出結果を送信する送信手段
を備えた検出装置と、
映像コンテンツを出力するコンテンツ出力手段と、
上記検出装置の送信手段からの検出結果を受信する受信手段と、
上記受信手段で受信した複数の商品に対しての検出結果に基づいて映像コンテンツを上記コンテンツ出力手段で出力させるコンテンツ出力制御手段と
を備えたコンテンツ出力装置と、
を具備したことを特徴とするコンテンツ出力システム。
【請求項２】
上記コンテンツ出力制御手段は、上記受信手段で受信した検出結果により、比較用映像コンテンツを上記コンテンツ出力手段で出力させることを特徴とする請求項１記載のコンテンツ出力システム。
【請求項３】
上記コンテンツ出力装置は、
上記受信手段で受信した検出結果に基づいて該当商品に対する移動の度合いを算出する度合い算出手段をさらに備え、
上記コンテンツ出力制御手段は、上記度合い算出手段で算出した結果に基づいて複数の商品いずれかの映像コンテンツを上記コンテンツ出力手段で出力させる
ことを特徴とする請求項１記載のコンテンツ出力システム。
【請求項４】
上記コンテンツ出力装置は、
上記度合い算出手段で複数の商品の移動量が略等しいと算出した場合、当該複数の商品の類似度を算出する類似度算出手段をさらに備え、
上記コンテンツ出力制御手段は、類似度算出手段で算出した類似度に基づいて他の商品の映像コンテンツを抽出し、抽出した商品の映像コンテンツを上記コンテンツ出力手段で出力させる
ことを特徴とする請求項３記載のコンテンツ出力システム。
【請求項５】
装置外部から複数の商品の移動に関する検出情報を受信する受信手段と、
映像コンテンツを出力するコンテンツ出力手段と、
上記複数の商品に対する映像コンテンツを記憶した記憶手段と、
上記受信手段で受信した検出情報に基づいて上記記憶手段から対応する映像コンテンツを読出し、上記コンテンツ出力手段で出力させるコンテンツ出力制御手段と
を備えたことを特徴とするコンテンツ出力装置。
【請求項６】
映像コンテンツを出力するコンテンツ出力部、及び複数の商品に対する映像コンテンツを記憶した記憶部を備えた装置でのコンテンツ出力方法であって、
装置外部から複数の商品の移動に関する検出情報を受信する受信工程と、
上記受信工程で受信した検出情報に基づいて上記記憶部から対応する映像コンテンツを読出し、上記コンテンツ出力部で出力させるコンテンツ出力制御工程と
を有したことを特徴とするコンテンツ出力方法。
【請求項７】
映像コンテンツを出力するコンテンツ出力部、及び複数の商品に対する映像コンテンツを記憶した記憶部を備えた装置が内蔵するコンピュータが実行するプログラムであって、上記コンピュータを、
装置外部から複数の商品の移動に関する検出情報を受信する受信手段、及び
上記受信手段で受信した検出情報に基づいて上記記憶部から対応する映像コンテンツを読出し、上記コンテンツ出力部で出力させるコンテンツ出力制御手段
として機能させることを特徴とするプログラム。
【発明の詳細な説明】
【技術分野】
【０００１】
本発明は、例えば商品を展示する店頭等に好適なコンテンツ出力システム、コンテンツ出力装置、コンテンツ出力方法及びプログラムに関する。
【背景技術】
【０００２】
展示された商品などの閲覧者に対して印象を高めるべく、人感センサによって人の接近を検出すると、映像コンテンツをそのコンテンツ自体の輪郭形状に形成されたスクリーン上に投影する映像出力装置の技術が提案されている。（例えば、特許文献１）
【先行技術文献】
【特許文献】
【０００３】
【特許文献１】特開２０１１−１５０２２１号公報
【発明の概要】
【発明が解決しようとする課題】
【０００４】
上記特許文献に記載された技術では、スクリーン自体が映像コンテンツの輪郭形状に形成されているため、投影することのできる映像コンテンツが限定されるという不具合がある。
【０００５】
本発明は上記のような実情に鑑みてなされたもので、その目的とするところは、商品の移動に即して多様性に富んだ映像コンテンツを出力させることが可能なコンテンツ出力システム、コンテンツ出力装置、コンテンツ出力方法及びプログラムを提供することにある。
【課題を解決するための手段】
【０００６】
本発明の一態様は、複数の商品に対し、個々の商品の移動を検出する検出手段、上記検出手段での検出結果を送信する送信手段を備えた検出装置と、映像コンテンツを出力するコンテンツ出力手段と、上記検出装置の送信手段からの検出結果を受信する受信手段と、上記受信手段で受信した複数の商品に対しての検出結果に基づいて映像コンテンツを上記コンテンツ出力手段で出力させるコンテンツ出力制御手段とを備えたコンテンツ出力装置とを具備したことを特徴とする。
【発明の効果】
【０００７】
本発明によれば、商品の移動に即して多様性に富んだ映像コンテンツを出力させることが可能となる。
【図面の簡単な説明】
【０００８】
【図１】本発明の一実施形態に係るシステム全体の外観構成を示す図。
【図２】同実施形態に係るシステム全体の外観構成を示す図。
【図３】同実施形態に係るデジタルサイネージの電子回路の機能構成を説明するブロック図。
【図４】同実施形態に係る通信タグの電子回路の機能構成を説明するブロック図。
【図５】同実施形態に係る展示台の電子回路の機能構成を説明するブロック図。
【図６】同実施形態に係る第１の動作例でデジタルサイネージのＣＰＵが実行する処理内容を示すフローチャート。
【図７】同実施形態に係る第２の動作例でデジタルサイネージのＣＰＵが実行する処理内容を示すフローチャート。
【図８】同実施形態に係る第３の動作例でデジタルサイネージのＣＰＵが実行する処理内容を示すフローチャート。
【図９】同実施形態に係る第３の動作例でデジタルサイネージのＣＰＵが実行する類似推奨商品の投影サブルーチンの処理内容を示すフローチャート。
【図１０】同実施形態に係る第３の動作例で商品の類似度を抽出する過程を示す図。
【発明を実施するための形態】
【０００９】
以下、本発明を商店店頭に設置されるコンテンツ出力システムに適用した場合の一実施形態について、図面を参照して詳細に説明する。  
図１は、本実施形態に係るシステム全体の外観構成を示す図である。展示台ＳＴ上に、展示商品としての商品ＰＤ−Ａ，ＰＤ−Ｂ，ＰＤ−Ｃが置かれている。ここでは、電機店のデジタルカメラ売り場において、商品ＰＤ−Ａがコンパクトタイプのデジタルカメラ、商品ＰＤ−Ｂが一眼レフタイプのデジタルカメラ、商品ＰＤ−Ｃがビデオムービーカメラである場合を例にとって示している。
【００１０】
これら各商品ＰＤ−Ａ，ＰＤ−Ｂ，ＰＤ−Ｃには、ここでは図示しない、検出装置としての通信タグが貼付される。これら通信タグは、貼付された商品が持ち上げられた場合に、その移動を検出して移動量を含む情報を自己の識別情報と共に、例えば近距離無線通信技術であるＢｌｕｅｔｏｏｔｈ（登録商標）規格に則って発信する。
【００１１】
一方、展示台ＳＴの近傍にはコンテンツ出力装置としてのデジタルサイネージ１０が設けられる。このデジタルサイネージ１０は、筐体の上部前面側に半透明板状のサイネージボード１０Ａが立設され、例えばリアプロジェクション方式の投影機構により、展示台ＳＴ上で持ち上げられた商品（例えば商品ＰＤ−Ａ）に関する映像コンテンツなどを投影して表示する。
【００１２】
またデジタルサイネージ１０内には、上記通信タグからの情報を受信する通信部１０Ｂが内蔵される。
【００１３】
図１は、ここでは図示しない顧客により展示台ＳＴ上の商品ＰＤ−Ａのみが矢印ＡＲ１で示すように持ち上げられ、それに応じてデジタルサイネージ１０のサイネージボード１０Ａにて商品Ａに関する映像コンテンツが表示されている状態を示す。
【００１４】
また図２は、展示台ＳＴ上の商品ＰＤ−Ａ，ＰＤ−Ｂが矢印ＡＲ１，ＡＲ２で示すように共に持ち上げられ、それに応じてデジタルサイネージ１０のサイネージボード１０Ａにて商品Ａ，Ｂに関する映像コンテンツが並列して表示されている状態を示す。
【００１５】
図３は、上記デジタルサイネージ１０の主として電子回路の機能構成を説明する。同図中、コンテンツ記憶部１１からコンテンツとしての画像データが読出され、バスＢ１を介して投影画像駆動部１２に送られる。
【００１６】
このコンテンツ記憶部１１にはまた、各商品ＰＤ−Ａ，ＰＤ−Ｂ，ＰＤ−Ｃそれぞれの機能等に関する詳細な情報、各商品のその時点での売り上げ数量、後述する各通信タグＲＴの個体識別情報と商品機種との対応情報、商品ＰＤ−Ａ，ＰＤ−Ｂ，ＰＤ−Ｃの個体識別情報と展示台ＳＴにおける位置との対応情報等も記憶される。
【００１７】
コンテンツ記憶部１１には、上記展示台ＳＴに載置された各商品個々の、画像データ及び音声データの他に、その機種固有の仕様や機能など、画像、音声として出力されない情報も含めて予め記憶されているものとする。
【００１８】
上記投影画像駆動部１２は、送られてきた画像データに応じて、所定のフォーマットに従ったフレームレート、例えば１２０［フレーム／秒］と色成分の分割数、及び表示階調数を乗算した、より高速な時分割駆動により、表示素子であるマイクロミラー素子１３を表示駆動する。
【００１９】
このマイクロミラー素子１３は、アレイ状に配列された複数個、例えばＷＸＧＡ（横１２８０画素×縦７６８画素）分の微小ミラーの各傾斜角度を個々に高速でオン／オフ動作して表示動作することで、その反射光により光像を形成する。
【００２０】
一方で、光源部１４から時分割でＲ，Ｇ，Ｂの原色光が循環的に出射される。光源部１４は、半導体発光素子であるＬＥＤを有し、Ｒ，Ｇ，Ｂの原色光を時分割で繰返し出射する。光源部１４が有するＬＥＤは、広義でのＬＥＤとして、ＬＤ（半導体レーザ）や有機ＥＬ素子を含むものとしても良い。
【００２１】
また、ＬＥＤから出射された光を蛍光体に照射することで励起される、元の光とは波長が異なる原色光を用いるものとしても良い。この光源部１４からの原色光が、ミラー１５で全反射して上記マイクロミラー素子１３に照射される。
【００２２】
そして、マイクロミラー素子１３での反射光で光像が形成され、形成された光像が投影レンズ部１６を介して外部に投射される。
【００２３】
上記各回路の動作すべてをＣＰＵ１７が制御する。このＣＰＵ１７は、メインメモリ１８及びプログラムメモリ１９と直接接続される。メインメモリ１８は、例えばＳＲＡＭで構成され、ＣＰＵ１７のワークメモリとして機能する。プログラムメモリ１９は、電気的書換可能な不揮発性メモリ、例えばフラッシュＲＯＭで構成され、ＣＰＵ１７が実行する動作プログラム、その他各種定型データ等を記憶する。
【００２４】
ＣＰＵ１７は、上記プログラムメモリ１９に記憶されている動作プログラムや定型データ等を読出し、メインメモリ１８に展開して記憶させた上で当該プログラムを実行することにより、このデジタルサイネージ１０を統括して制御する。
【００２５】
上記ＣＰＵ１７は、操作部２０からの操作信号に応じて各種投影動作を実行する。この操作部２０は、デジタルサイネージ１０の本体に備える、電源キーを含むいくつかの操作キーのキー操作信号を受付け、受付けた操作に応じた信号を上記ＣＰＵ１７へ送出する。
【００２６】
上記ＣＰＵ１７はさらに、上記バスＢ１を介して音声処理部２１、通信部２２と接続される。  
音声処理部２１は、ＰＣＭ音源等の音源回路を備え、投影動作時に与えられる音声信号をアナログ化し、スピーカ部２３を駆動して放音させ、あるいは必要によりビープ音等を発生させる。
【００２７】
通信部２２は、アンテナ２４と共に上述した通信部１０Ｂを構成するもので、上記商品ＰＤ−Ａ，ＰＤ−Ｂ，ＰＤ−Ｃに貼付された、後述する通信タグＲＴあるいは展示台ＳＴからの情報を受信する。
【００２８】
図４は、上記商品ＰＤ−Ａ，ＰＤ−Ｂ，ＰＤ−Ｃにそれぞれ貼付される通信タグＲＴの電子回路の機能構成を説明する図である。同図で、この通信タグＲＴはＣＰＵ３１が全体の制御動作を統轄して実行する。
【００２９】
ＣＰＵ３１は、メインメモリ３２及びプログラムメモリ３３と直接接続される。メインメモリ３２はＣＰＵ３１のワークメモリとして機能する。プログラムメモリ３３は、ＣＰＵ３１が実行する動作プログラムやこの通信タグＲＴの個体識別情報、その他の定型データ等を記憶する。
【００３０】
またＣＰＵ３１に対して、バスＢ２を介して通信部３４及び加速度センサ３５が接続される。通信部３４は、アンテナ３６を介して、後述する加速度センサ３５で検出するこの通信タグＲＴの姿勢変化から導出される移動量の情報を上記デジタルサイネージ１０に対して送信する。
【００３１】
加速度センサ３５は、例えば３軸加速度センサとそのドライバ回路で構成され、この通信タグＲＴに与えられる、重力加速度を含む外力の加速度を検出する。ＣＰＵ３１は、加速度センサ３５からの検出信号により、通信タグＲＴの移動量を算出して、上記通信部３４によりデジタルサイネージ１０に固体識別情報と共に送信させる。
【００３２】
図５は、上記展示台ＳＴに内蔵される電子回路の機能構成を説明する図である。同図で、この展示台ＳＴはＣＰＵ４１が全体の制御動作を統轄して実行する。
【００３３】
ＣＰＵ４１は、メインメモリ４２及びプログラムメモリ４３と直接接続される。メインメモリ４２はＣＰＵ４１のワークメモリとして機能する。プログラムメモリ４３は、ＣＰＵ４１が実行する動作プログラムやこの展示台ＳＴの個体識別情報、その他の定型データ等を記憶する。
【００３４】
またＣＰＵ４１に対して、バスＢ３を介して通信部４４及び圧力センサ４５が接続される。通信部４４は、アンテナ４６を介して、後述する圧力センサ４５で検出するこの展示台ＳＴでの商品ＰＤ−Ａ，ＰＤ−Ｂ，ＰＤ−Ｃの載置状況の情報を上記デジタルサイネージ１０に対して送信する。
【００３５】
圧力センサ４５は、載置される商品ＰＤ−Ａ，ＰＤ−Ｂ，ＰＤ−Ｃの変化を位置及び圧力の情報として検出する。ＣＰＵ４１は、圧力センサ４５からの検出信号により商品ＰＤ−Ａ，ＰＤ−Ｂ，ＰＤ−Ｃのいずれかが持ち上げられ、または載置されたことを検知して、上記通信部４４によりデジタルサイネージ１０に固体識別情報と共に送信させる。
【００３６】
次に上記実施形態の動作について説明する。  
なお以下に示す動作は、上述した如くデジタルサイネージ１０側のＣＰＵ１７がプログラムメモリ１９から読出した動作プログラム等をメインメモリ１８に展開した上で実行するものである。プログラムメモリ１９に記憶される動作プログラム等は、このデジタルサイネージ１０の工場出荷時にプログラムメモリ１９に記憶されていたもののみならず、ユーザがこのデジタルサイネージ１０を購入後にバージョンアップ用のプログラム等をインストールした内容を含む。
【００３７】
（第１の動作例）  
図６は、デジタルサイネージ１０のＣＰＵ１７が実行する、基本的な第１の動作例としての処理内容を示すフローチャートである。  
その当初にＣＰＵ１７は、通信部２２及びアンテナ２４を介して、外部の通信タグＲＴ，ＲＴ，…、展示台ＳＴからのセンサ情報をサーチし（ステップＳ１０１）、その結果として何らかのセンサ情報が取得できたか否かを判断する（ステップＳ１０２）、という処理を繰返し実行することで、外部の通信タグＲＴ，ＲＴ，…、及び展示台ＳＴのいずれかからのセンサ情報をサンプリングする。
【００３８】
このステップＳ１０１，Ｓ１０２のサンプリング処理は、例えばサンプリング周波数１０［Ｈｚ］で実行する。
【００３９】
この場合、展示台ＳＴから得られるセンサ情報は、載置されている商品ＰＤ−Ａ，ＰＤ−Ｂ，ＰＤ−Ｃのいずれかが顧客により持ち上げられた場合の抜重が圧力センサ４５で検出されるものであり、その位置情報からコンテンツ記憶部１１に記憶されている対応情報を参照することで、商品ＰＤ−Ａ，ＰＤ−Ｂ，ＰＤ−Ｃのいずれであるかを特定することができる。
【００４０】
また通信タグＲＴから得られるセンサ情報は、個別識別情報と、加速度センサ３５による重力加速度を含む３軸方向の加速度情報である。個別識別情報によりコンテンツ記憶部１１に記憶されている対応情報を参照して商品ＰＤ−Ａ，ＰＤ−Ｂ，ＰＤ−Ｃのいずれが顧客により持ち上げられているかがわかる。加速度情報とその変化時間により、当該商品の移動量と時間とを定量化できる。
【００４１】
商品ＰＤ−Ａ，ＰＤ−Ｂ，ＰＤ−Ｃの少なくとも１つが移動した場合、展示台ＳＴからセンサ情報が得られると同時に、当該商品に貼付された通信タグＲＴからのセンサ情報が継続して得られることになる。
【００４２】
上記ステップＳ２０２でセンサ情報が得られたと判断した時点でＣＰＵ１７は、該当する通信タグＲＴから得られる個別識別情報により持ち上げられている商品を判別する（ステップＳ１０３）。
【００４３】
合わせてＣＰＵ１７は、通信タグＲＴからのセンサ情報を定量化し（ステップＳ１０４）、その移動量の絶対値が予め設定されている閾値以上であるか否かを判断することで、当該商品が顧客により展示台ＳＴから持ち上げられて取扱われていることを確認する（ステップＳ１０５）。
【００４４】
ここで当該商品の移動量の絶対値が、予め設定されている閾値未満であると判断した場合、当該商品は一時的な外力により若干移動したものの、顧客により展示台ＳＴから持ち上げられて取扱われているのではないものとして、ＣＰＵ１７は次のセンサ情報のサンプリングに備えて上記ステップＳ１０１からの処理に戻る。
【００４５】
また上記ステップＳ１０５で当該商品の移動量の絶対値が、予め設定されている閾値以上であると判断した場合、当該商品は顧客により展示台ＳＴから持ち上げられて取扱われているものと判断して、ＣＰＵ１７は当該商品の映像コンテンツ情報をコンテンツ記憶部１１から読出し、投影画像駆動部１２によりマイクロミラー素子１３で対応する光像を形成させて、投影レンズ部１６より上記サイネージボード１０Ａの背面側から一定時間、例えば１分間投影するように設定して、投影を開始させた上で（ステップＳ１０６）、さらなる商品の移動に備えるべく上記ステップＳ１０１からの処理に戻る。
【００４６】
このときコンテンツ記憶部１１に映像コンテンツ情報と関連づけて音声コンテンツ情報が記憶されていた場合、ＣＰＵ１７は同時にその音声コンテンツ情報を読出し、音声処理部２１によりスピーカ部２３から一定時間拡声して出力させるように設定して、音声の出力も併せて開始させる。
【００４７】
このように、展示台ＳＴ上に載置されている商品ＰＤ−Ａ，ＰＤ−Ｂ，ＰＤ−Ｃのいずれかが顧客により持ち上げられた場合、その商品に応じた映像コンテンツ情報が即時サイネージボード１０Ａで投影されるため、商品の移動に即して多様性に富んだ映像コンテンツを出力させることが可能となる。
【００４８】
（第２の動作例）  
図７は、デジタルサイネージ１０のＣＰＵ１７が実行する、複数商品の情報提示を勘案した第２の動作例としての処理内容を示すフローチャートである。  
その当初にＣＰＵ１７は、通信部２２及びアンテナ２４を介して、外部の通信タグＲＴ，ＲＴ，…、展示台ＳＴからのセンサ情報をサーチし（ステップＳ２０１）、その結果として何らかのセンサ情報が取得できたか否かを判断する（ステップＳ２０２）、という処理を繰返し実行することで、外部の通信タグＲＴ，ＲＴ，…、及び展示台ＳＴのいずれかからのセンサ情報をサンプリングする。
【００４９】
このステップＳ２０１，Ｓ２０２のサンプリング処理は、例えばサンプリング周波数１０［Ｈｚ］で実行する。
【００５０】
この場合、展示台ＳＴから得られるセンサ情報は、載置されている商品ＰＤ−Ａ，ＰＤ−Ｂ，ＰＤ−Ｃのいずれかが顧客により持ち上げられた場合の抜重が圧力センサ４５で検出されるものであり、その位置情報からコンテンツ記憶部１１に記憶されている対応情報を参照することで、商品ＰＤ−Ａ，ＰＤ−Ｂ，ＰＤ−Ｃのいずれであるかを特定することができる。
【００５１】
また通信タグＲＴから得られるセンサ情報は、個別識別情報と、加速度センサ３５による重力加速度を含む３軸方向の加速度情報である。個別識別情報によりコンテンツ記憶部１１に記憶されている対応情報を参照して商品ＰＤ−Ａ，ＰＤ−Ｂ，ＰＤ−Ｃのいずれが持ち上げられているかがわかる。加速度情報とその変化時間により、当該商品の移動量と時間とを定量化できる。
【００５２】
商品ＰＤ−Ａ，ＰＤ−Ｂ，ＰＤ−Ｃの少なくとも１つが移動した場合、展示台ＳＴからセンサ情報が得られると同時に、当該商品に貼付された通信タグＲＴからのセンサ情報が継続して得られることになる。
【００５３】
上記ステップＳ２０２でセンサ情報が得られたと判断した時点でＣＰＵ１７は、該当する通信タグＲＴから得られる個別識別情報により持ち上げられている商品を判別する（ステップＳ２０３）。
【００５４】
合わせてＣＰＵ１７は、通信タグＲＴからのセンサ情報を定量化し（ステップＳ２０４）、その移動量の絶対値が予め設定されている閾値以上であるか否かを判断することで、当該商品が顧客により展示台ＳＴから持ち上げられて取扱われていることを確認する（ステップＳ２０５）。
【００５５】
ここで当該商品の移動量の絶対値が、予め設定されている閾値未満であると判断した場合、当該商品は一時的な外力により若干移動したものの、顧客により展示台ＳＴから持ち上げられて取扱われているのではないものとして、ＣＰＵ１７は次のセンサ情報のサンプリングに備えて上記ステップＳ２０１からの処理に戻る。
【００５６】
また上記ステップＳ２０５で当該商品の移動量の絶対値が、予め設定されている閾値以上であると判断した場合、当該商品は顧客により展示台ＳＴから持ち上げられて取扱われているものと判断して、次にＣＰＵ１７は、その時点で、一定時間以内に映像コンテンツ情報の投影を設定して開始させたか否かにより、すでに投影画像駆動部１２により映像コンテンツ情報をサイネージボード１０Ａで投影させているか否かを判断する（ステップＳ２０６）。
【００５７】
ここで一定時間以内に投影を設定して開始させた映像コンテンツ情報はないと判断した場合、ＣＰＵ１７はそのまま当該商品の映像コンテンツ情報をコンテンツ記憶部１１から読出し、投影画像駆動部１２によりマイクロミラー素子１３で対応する光像を形成させて、投影レンズ部１６より上記サイネージボード１０Ａの背面側から一定時間、例えば１分間投影するように設定して、投影を開始させた上で（ステップＳ２０８）、さらなる商品の移動に備えるべく上記ステップＳ２０１からの処理に戻る。
【００５８】
このときコンテンツ記憶部１１に映像コンテンツ情報と関連づけて音声コンテンツ情報が記憶されていた場合、ＣＰＵ１７は同時にその音声コンテンツ情報を読出し、音声処理部２１によりスピーカ部２３から一定時間拡声して出力させるように設定して、音声の出力も併せて開始させる。
【００５９】
また上記ステップＳ２０６で一定時間以内に投影を設定して開始させた映像コンテンツ情報があると判断した場合、さらにＣＰＵ１７は、すでに投影している映像コンテンツの商品と今回移動を検出した商品とが同一であるか否かを判断する（ステップＳ２０７）。
【００６０】
ここで２つの商品が同一であると判断した場合、ＣＰＵ１７はそのまま上記ステップＳ２０８に進み、当該商品の映像コンテンツ情報による投影状態をさらに一定時間延長するよう設定して投影を継続させる。
【００６１】
また上記ステップＳ２０７で２つの商品が同一ではないと判断した場合、ＣＰＵ１７は、すでに投影している商品と今回移動を検出した商品とを比較するような比較用の映像コンテンツ情報をコンテンツ記憶部１１から読出し、投影画像駆動部１２によりマイクロミラー素子１３で対応する光像を形成させて、投影レンズ部１６より上記サイネージボード１０Ａの背面側から一定時間、例えば１分間投影するように設定して、投影を開始させた上で（ステップＳ２０９）、さらなる商品の移動に備えるべく上記ステップＳ２０１からの処理に戻る。
【００６２】
このように、展示台ＳＴ上に載置されている商品ＰＤ−Ａ，ＰＤ−Ｂ，ＰＤ−Ｃのいずれかが顧客により持ち上げられた時点で、すでに他の商品の投影を行なっている場合には、それら複数の商品を比較するような映像コンテンツ情報をサイネージボード１０Ａで投影させるため、さらに商品の移動に即してより適切で多様性に富んだ映像コンテンツを出力させることが可能となる。
【００６３】
（第３の動作例）  
図８は、デジタルサイネージ１０のＣＰＵ１７が実行する、複数商品への興味の度合いを勘案した第３の動作例としての処理内容を示すフローチャートである。  
その当初にＣＰＵ１７は、通信部２２及びアンテナ２４を介して、外部の通信タグＲＴ，ＲＴ，…、展示台ＳＴからのセンサ情報をサーチし（ステップＳ３０１）、その結果として何らかのセンサ情報が取得できたか否かを判断する（ステップＳ３０２）、という処理を繰返し実行することで、外部の通信タグＲＴ，ＲＴ，…、及び展示台ＳＴのいずれかからのセンサ情報をサンプリングする。
【００６４】
このステップ３０１，Ｓ３０２のサンプリング処理は、例えばサンプリング周波数１０［Ｈｚ］で実行する。
【００６５】
この場合、展示台ＳＴから得られるセンサ情報は、載置されている商品ＰＤ−Ａ，ＰＤ−Ｂ，ＰＤ−Ｃのいずれかが顧客により持ち上げられた場合の抜重が圧力センサ４５で検出されるものであり、その位置情報からコンテンツ記憶部１１に記憶されている対応情報を参照することで、商品ＰＤ−Ａ，ＰＤ−Ｂ，ＰＤ−Ｃのいずれであるかを特定することができる。
【００６６】
また通信タグＲＴから得られるセンサ情報は、個別識別情報と、加速度センサ３５による重力加速度を含む３軸方向の加速度情報である。個別識別情報によりコンテンツ記憶部１１に記憶されている対応情報を参照して商品ＰＤ−Ａ，ＰＤ−Ｂ，ＰＤ−Ｃのいずれが持ち上げられているかがわかる。加速度情報とその変化時間により、当該商品の移動量と時間とを定量化できる。
【００６７】
商品ＰＤ−Ａ，ＰＤ−Ｂ，ＰＤ−Ｃの少なくとも１つが移動した場合、展示台ＳＴからセンサ情報が得られると同時に、当該商品に貼付された通信タグＲＴからのセンサ情報が継続して得られることになる。
【００６８】
上記ステップＳ３０２でセンサ情報が得られたと判断した時点でＣＰＵ１７は、該当する通信タグＲＴから得られる個別識別情報により持ち上げられている商品を判別する（ステップＳ３０３）。
【００６９】
合わせてＣＰＵ１７は、通信タグＲＴからのセンサ情報により、移動量の大きさから当該商品に対する興味の度合いを定量化して一時的に記憶する（ステップＳ３０４）。
【００７０】
そして、定量化した興味の度合いが、予め設定されている閾値以上であるか否かを判断することで、当該商品が展示台ＳＴから持ち上げられて取扱われていることを確認する（ステップＳ３０５）。
【００７１】
ここで当該商品への興味の度合いが、予め設定されている閾値未満であると判断した場合、当該商品は一時的な外力により若干移動したものの、展示台ＳＴから持ち上げられて取扱われているのではないものとして、ＣＰＵ１７は次のセンサ情報のサンプリングに備えて上記ステップＳ３０１からの処理に戻る。
【００７２】
また上記ステップＳ３０５で当該商品への興味の度合いが、予め設定されている閾値以上であると判断した場合、当該商品は展示台ＳＴから持ち上げられて取扱われているものと判断して、次にＣＰＵ１７は、その時点で、一定時間以内に映像コンテンツ情報の投影を設定して開始させたか否かにより、すでに投影画像駆動部１２により映像コンテンツ情報をサイネージボード１０Ａで投影させているか否かを判断する（ステップＳ３０６）。
【００７３】
ここで一定時間以内に投影を設定して開始させた映像コンテンツ情報はないと判断した場合、ＣＰＵ１７はそのまま当該商品の映像コンテンツ情報をコンテンツ記憶部１１から読出し、投影画像駆動部１２によりマイクロミラー素子１３で対応する光像を形成させて、投影レンズ部１６より上記サイネージボード１０Ａの背面側から一定時間、例えば１分間投影するように設定して、投影を開始させた上で（ステップＳ３１０）、さらなる商品の移動に備えるべく上記ステップＳ３０１からの処理に戻る。
【００７４】
このときコンテンツ記憶部１１に映像コンテンツ情報と関連づけて音声コンテンツ情報が記憶されていた場合、ＣＰＵ１７は同時にその音声コンテンツ情報を読出し、音声処理部２１によりスピーカ部２３から一定時間拡声して出力させるように設定して、音声の出力も併せて開始させる。
【００７５】
また上記ステップＳ３０６で一定時間以内に投影を設定して開始させた映像コンテンツ情報があると判断した場合、さらにＣＰＵ１７は、すでに投影している映像コンテンツの商品と今回移動を検出した商品とが同一であるか否かを判断する（ステップＳ３０７）。
【００７６】
ここで２つの商品が同一であると判断した場合、ＣＰＵ１７はそのまま上記ステップＳ３１１０に進み、当該商品の映像コンテンツ情報による投影状態をさらに一定時間延長するよう設定して投影を継続させる。
【００７７】
また上記ステップＳ３０７で２つの商品が同一ではないと判断した場合、ＣＰＵ１７は、すでに投影している商品と今回移動を検出した商品とでそれぞれ算出した驚異の度合いがほぼ等しいか否かを、例えばその度合いの大きい方を基準として小さい方が所定の範囲内（ｅｘ．８０［％］以上）に収まっているか否かにより判断する（ステップＳ３０８）。
【００７８】
ここですでに投影している商品と今回移動を検出した商品とでそれぞれ算出した興味の度合いが等しくないと判断した場合、ＣＰＵ１７は興味の度合いがより大きい方の商品の映像コンテンツ情報をコンテンツ記憶部１１から読出し、投影画像駆動部１２によりマイクロミラー素子１３で対応する光像を形成させて、投影レンズ部１６より上記サイネージボード１０Ａの背面側から一定時間、例えば１分間投影するように設定して、投影を開始させた上で（ステップＳ３０９）、さらなる商品の移動に備えるべく上記ステップＳ３０１からの処理に戻る。
【００７９】
また上記ステップＳ３０８ですでに投影している商品と今回移動を検出した商品それぞれの興味の度合いがほぼ等しいと判断した場合、ＣＰＵ１７は、すでに投影している商品と今回移動を検出した商品とを比較するような比較用の映像コンテンツ情報をコンテンツ記憶部１１から読出し、投影画像駆動部１２によりマイクロミラー素子１３で対応する光像を形成させて、投影レンズ部１６より上記サイネージボード１０Ａの背面側から一定時間、例えば１分間投影するように設定して、投影を開始させる（ステップＳ３１１）。
【００８０】
その後、ＣＰＵ１７はさらにサブルーチンとして、当該両商品に貼付された通信タグＲＴからのセンサ情報を引き続いて取得し、その動き量から両商品に対する顧客の興味の度合いをさらに定量化するもので、その定量化した興味の度合いに応じて類似推奨商品のコンテンツ情報を作成し、作成したコンテンツ情報を一定時間、例えば１分間投影するように設定して、投影を開始させる（ステップＳ３１２）。
【００８１】
図９は、上記ステップＳ３１２のサブルーチンの詳細な処理内容を示すフローチャートである。その処理当初にＣＰＵ１７は、上記定量化した興味の度合いから、顧客の両商品への興味の度合いがほぼ等しく、両商品のいずれかを選択するのを迷っているか否かを判断する（ステップＳ４０１）。
【００８２】
ここで顧客の両商品への興味の度合いがほぼ等しくなく、いずれか一方の商品に興味の度合いが偏っていると判断した場合には、直ちにこの図９のサブルーチンを終了すると共に、図８の処理においても、さらなる商品の移動に備えるべく上記ステップＳ３０１からの処理に戻る。
【００８３】
また上記ステップＳ４０１で顧客の両商品への興味の度合いがほぼ等しいと判断した場合、ＣＰＵ１７はその両商品のいずれかを選択するのを迷っている状態が一定時間、例えば３０［秒］経過したか否かを判断し（ステップＳ４０２）、まだ経過していなければ上記ステップＳ４０１の処理に戻る。
【００８４】
こうしてステップＳ４０１，Ｓ４０２の処理を繰返し実行することで、顧客が両商品のいずれかを選択するのを迷っている状態が一定時間経過するのを待機する。そして、上記ステップＳ４０２で一定時間が経過したと判断した時点で、ＣＰＵ１７はその両商品の機能等の類似点を抽出する（ステップＳ４０３）。
【００８５】
図１０（Ａ）は、ＣＰＵ１７がコンテンツ記憶部１１に記憶された各商品の機能の情報に基づき、ある商品Ａと商品Ｂの機能等の類似度を抽出する過程を例示するものである。同図（Ａ）に示す如く、対応する機能毎に商品Ａと商品Ｂとで類似指標を求める。ここで類似指標は、両商品がいずれも当該機能を有していれば「真」としてその機能に応じた値を指標とする一方で、両商品のいずれか一方のみが当該機能を有している場合には「偽（Ｆ（＝ｆａｌｓｅ））」となる。
【００８６】
こうして２商品の類似度を抽出した結果から、ＣＰＵ１７は類似点が予め定めた必要類似点数Ｒ以上であるか否かを判断する（ステップＳ４０４）。この必要類似点数Ｒは、デジタルサイネージ１０で指定できる任意の個数とする。
【００８７】
ここで類似点の数が必要数Ｒに達しなかった場合、ＣＰＵ１７はそれら２商品が著しく類似度が低く、他の類似した商品を推奨する対象として選定することはできないものとして、以上でこの図９のサブルーチンを終了すると共に、図８の処理においても、さらなる商品の移動に備えるべく上記ステップＳ３０１からの処理に戻る。
【００８８】
また上記ステップＳ４０４において、２商品の類似点数が必要類似点数Ｒ以上であると判断した場合、ＣＰＵ１７は類似したと判断した機能を有する他の商品をコンテンツ記憶部１１の情報により検索する（ステップＳ４０５）。
【００８９】
上記図１０（Ａ）に示すような商品Ａと商品Ｂに関する類似度の抽出結果、例えば必要類似点数Ｒ＝２であった場合には、類似点数は必要類似点数Ｒ以上であるものとして、ＣＰＵ１７は図１０（Ｂ）に示すようにコンテンツ記憶部１１に記憶している他の商品Ｃ〜Ｚに関して、商品Ａ，Ｂで抽出した類似指標に基づき、適合する類似商品を検索する。
【００９０】
上記ステップＳ４０５での検索の結果、ＣＰＵ１７は必要類似点数Ｒを満たす他の類似商品の数が予め設定した推奨類似商品数Ｓより多いか否かを判断する（ステップＳ４０６）。この推奨類似商品数Ｓも、上記必要類似点数Ｒと同様に、デジタルサイネージ１０で指定できる任意の個数とする。
【００９１】
上記ステップＳ４０６で他の類似商品の数が予め設定した推奨類似商品数Ｓ以下であると判断した場合、ＣＰＵ１７はそれら検索して得た類似商品に関する情報をコンテンツ記憶部１１から読出し、推奨商品に関する情報として投影画像駆動部１２によりマイクロミラー素子１３で対応する光像を形成させて、投影レンズ部１６より上記サイネージボード１０Ａの背面側から一定時間、例えば１分間投影するように設定して、投影を開始させ（ステップＳ４０８）、以上でこの図９のサブルーチンを終了すると共に、図８の処理においても、さらなる商品の移動に備えるべく上記ステップＳ３０１からの処理に戻る。
【００９２】
また上記ステップＳ４０６で他の類似商品の数が予め設定した推奨類似商品数Ｓより多いと判断した場合、ＣＰＵ１７は推奨する商品の数を制限するべく、類似する他の商品群中、売り上げ個数の多い順序に従って上位Ｓ個の商品を投影対象として選択する（ステップＳ４０７）。
【００９３】
そして、選択したＳ個の商品に関する情報をコンテンツ記憶部１１から読出し、推奨商品に関する情報として投影画像駆動部１２によりマイクロミラー素子１３で対応する光像を形成させて、投影レンズ部１６より上記サイネージボード１０Ａの背面側から一定時間、例えば１分間投影するように設定して、投影を開始させ（ステップＳ４０８）、以上でこの図９のサブルーチンを終了すると共に、図８の処理においても、さらなる商品の移動に備えるべく上記ステップＳ３０１からの処理に戻る。
【００９４】
なお上記動作例では、推奨する類似商品の数が予め設定した数Ｓより多い場合に、その時点での売り上げ個数が多い商品を優先して選択するものとして説明したが、本実施形態はこれに限らず、売り上げ個数の少ない商品や、他にも価格帯、さらに顧客に選択していただくメーカ名などの要素を勘案するものとして、推奨する商品群を選択するものとしても良い。
【００９５】
このように、展示台ＳＴ上に載置されている商品ＰＤ−Ａ，ＰＤ−Ｂ，ＰＤ−Ｃのいずれかが持ち上げられた場合、すでに他の商品の投影を行なっている場合には、それら複数の商品の移動量から顧客の興味の度合いを算出するものとして、サイネージボード１０Ａで投影させる商品の内容を選択するものとしたので、より顧客の動作を反映して、適切な映像コンテンツを提供することができる。
【００９６】
さらに上記動作例では、移動量から興味の度合いがほぼ等しい状態が一定時間継続した場合には、顧客が選択を迷っているものと判断して、その時点では選択されていない、類似度の高い他の商品群も検索して推奨するものとしたので、顧客により満足していただけるようなきめ細かなサービスを提供できる。
【００９７】
なお上記実施形態では、各商品に貼付する通信タグＲＴにより、商品に与えられる加速度を検出し、その検出結果を無線通信によりデジタルサイネージ１０に伝送するものとして説明したが、本発明は各商品に対するタグの取付け方や伝送方法等を制限するものではなく、また例えばスマートフォンなどのようにその商品自体が移動量を検出するセンサ類、外部との通信機構を有している場合も考えられる。
【００９８】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００９９】
以下に、本願出願の当初の特許請求の範囲に記載された発明を付記する。  
請求項１記載の発明は、複数の商品に対し、個々の商品の移動を検出する検出手段、上記検出手段での検出結果を送信する送信手段を備えた検出装置と、映像コンテンツを出力するコンテンツ出力手段と、上記検出装置の送信手段からの検出結果を受信する受信手段と、上記受信手段で受信した複数の商品に対しての検出結果に基づいて映像コンテンツを上記コンテンツ出力手段で出力させるコンテンツ出力制御手段とを備えたコンテンツ出力装置とを具備したことを特徴とする。
【０１００】
請求項２記載の発明は、上記請求項１記載の発明において、上記コンテンツ出力制御手段は、上記受信手段で受信した検出結果により、比較用映像コンテンツを上記コンテンツ出力手段で出力させることを特徴とする。
【０１０１】
請求項３記載の発明は、上記請求項１記載の発明において、上記コンテンツ出力装置は、上記受信手段で受信した検出結果に基づいて該当商品に対する移動の度合いを算出する度合い算出手段をさらに備え、上記コンテンツ出力制御手段は、上記度合い算出手段で算出した結果に基づいて複数の商品いずれかの映像コンテンツを上記コンテンツ出力手段で出力させることを特徴とする。
【０１０２】
請求項４記載の発明は、上記請求項３記載の発明において、上記コンテンツ出力装置は、上記度合い算出手段で複数の商品の移動量が略等しいと算出した場合、当該複数の商品の類似度を算出する類似度算出手段をさらに備え、上記コンテンツ出力制御手段は、類似度算出手段で算出した類似度に基づいて他の商品の映像コンテンツを抽出し、抽出した商品の映像コンテンツを上記コンテンツ出力手段で出力させることを特徴とする。
【０１０３】
請求項５記載の発明は、装置外部から複数の商品の移動に関する検出情報を受信する受信手段と、映像コンテンツを出力するコンテンツ出力手段と、上記複数の商品に対する映像コンテンツを記憶した記憶手段と、上記受信手段で受信した検出情報に基づいて上記記憶手段から対応する映像コンテンツを読出し、上記コンテンツ出力手段で出力させるコンテンツ出力制御手段とを備えたことを特徴とする。
【０１０４】
請求項６記載の発明は、映像コンテンツを出力するコンテンツ出力部、及び複数の商品に対する映像コンテンツを記憶した記憶部を備えた装置でのコンテンツ出力方法であって、装置外部から複数の商品の移動に関する検出情報を受信する受信工程と、上記受信工程で受信した検出情報に基づいて上記記憶部から対応する映像コンテンツを読出し、上記コンテンツ出力部で出力させるコンテンツ出力制御工程とを有したことを特徴とする。
【０１０５】
請求項７記載の発明は、映像コンテンツを出力するコンテンツ出力部、及び複数の商品に対する映像コンテンツを記憶した記憶部を備えた装置が内蔵するコンピュータが実行するプログラムであって、上記コンピュータを、装置外部から複数の商品の移動に関する検出情報を受信する受信手段、及び上記受信手段で受信した検出情報に基づいて上記記憶部から対応する映像コンテンツを読出し、上記コンテンツ出力部で出力させるコンテンツ出力制御手段として機能させることを特徴とする。
【符号の説明】
【０１０６】
１０…デジタルサイネージ、１０Ａ…サイネージボード、１０Ｂ…通信部、１１…コンテンツ記憶部、１２…投影画像駆動部、１３…マイクロミラー素子、１４…光源部、１５…ミラー、１６…投影レンズ部、１７…ＣＰＵ、１８…メインメモリ、１９…プログラムメモリ、２０…操作部、２１…音声処理部、２２…通信部、２３…スピーカ部、２４…アンテナ、３１…ＣＰＵ、３２…メインメモリ、３３…プログラムメモリ、３４…通信部、３５…加速度センサ、３６…アンテナ、４１…ＣＰＵ、４２…メインメモリ、４３…プログラムメモリ、４４…通信部、４５…圧力センサ、４６…アンテナ、Ｂ１，Ｂ２，Ｂ３…バス、ＰＤ−Ａ，ＰＤ−Ｂ，ＰＤ−Ｃ…商品、ＲＴ…通信タグ、ＳＴ…展示台。
【図１】
2015118265.tif 000003
【図２】
2015118265.tif 000004
【図３】
2015118265.tif 000005
【図４】
2015118265.tif 000006
【図５】
2015118265.tif 000007
【図６】
2015118265.tif 000008
【図７】
2015118265.tif 000009
【図８】
2015118265.tif 000010
【図９】
2015118265.tif 000011
【図１０】
2015118265.tif 000012